(57)【要約】【課題】反射鏡ユニットの成形工数の削減と、有効視界範囲の拡大が可能な車両用ドアミラーの提供を図る。【解決手段】裏面に反射膜１２ｂを蒸着した合成樹脂製の鏡体２の裏面と周面とを内包して、合成樹脂製のホルダー３を積層状に一体成形することによって、両者の溶着工数を不要としている。また、鏡体２の反射面側周縁部でのホルダー３による抱持を不要として、有効視界範囲を拡大可能としている。【選択図】図１
2012201201.tif 000002
【特許請求の範囲】
【請求項１】
作動ユニットに組付けられる反射鏡ユニットを、
裏面に反射膜を蒸着した合成樹脂製の鏡体と、
前記鏡体の裏面と周面とを内包して積層状に一体成形した合成樹脂製のホルダーと、で構成したことを特徴とする車両用ドアミラー。
【請求項２】
前記反射鏡ユニットの反射面側は、前記鏡体の周縁を見切り線として、該鏡体とホルダー周縁部とを面一に整合して形成したことを特徴とする請求項１に記載の車両用ドアミラー。
【請求項３】
前記反射鏡ユニットの反射面側の周縁部分を、弯曲面として形成したことを特徴とする請求項２に記載の車両用ドアミラー。
【請求項４】
請求項１〜３の何れか１つに記載の前記鏡体の成形と、
前記反射膜の蒸着と、前記ホルダーの成形とを、１つの金型で行うことを特徴とする反射鏡ユニットの成形方法。
【発明の詳細な説明】
【技術分野】
【０００１】
本発明は、車両用ドアミラー、およびその反射鏡ユニットの成形方法に関する。
【背景技術】
【０００２】
特許文献１には、作動ユニットに組付けられる反射鏡ユニットを、裏面に反射膜を蒸着した合成樹脂製の鏡体と、該鏡体を保持する合成樹脂製のホルダーと、で構成した車両用ドアミラーが開示されている。
【先行技術文献】
【特許文献】
【０００３】
【特許文献１】特開２０１０−１７３４６９号公報
【発明の概要】
【発明が解決しようとする課題】
【０００４】
特許文献１の開示技術では、鏡体の周縁部とホルダーの開口周縁部とをレーザーにより溶着固定するため、反射鏡ユニットの形成工数が嵩んでコスト的に不利となってしまう。
【０００５】
また、ホルダーの開口周縁部を鏡体の周縁部の反射面側（表面側）に廻り込んで溶着固定するため、鏡体の反射面積が狭められてドアミラーの有効視界範囲が狭くなってしまう。
【０００６】
そこで、本発明は反射鏡ユニットの形成工数を削減できると共に、有効視界範囲を拡大することができる車両用ドアミラー、および反射鏡ユニットの成形方法を提供するものである。
【課題を解決するための手段】
【０００７】
本発明の車両用ドアミラーにあっては、その反射鏡ユニットを、裏面に反射膜を蒸着した合成樹脂製の鏡体と、前記鏡体の裏面と周面とを内包して積層状に一体成形した合成樹脂製のホルダーと、で構成したことを主要な特徴としている。
【０００８】
また、本発明の反射鏡ユニットの成形方法にあっては、合成樹脂製の鏡体の成形と、該鏡体の裏面への反射膜の蒸着と、合成樹脂製のホルダーの前記鏡体に対する一体成形とを、１つの金型で行うことを特徴としている。
【発明の効果】
【０００９】
本発明によれば、反射鏡ユニットを合成樹脂製の鏡体とホルダーとを積層状に一体成形して構成するため、鏡体裏面の反射膜が空気に触れることによる劣化，発錆を防止できる。また、鏡体とホルダーとの溶着工数が不要となってコスト的に有利に得ることができる。更に、鏡体とホルダーとを一体成形によって溶着できるため、鏡体の反射面側でのホルダーによる脱落止めのための周縁保持が不要となり、反射鏡ユニットの有効視界範囲を拡大することができる。
【００１０】
また、反射鏡の成形方法では、鏡体の成形と、その裏面への反射膜の蒸着と、鏡体に対するホルダーの一体成形とを、１つの金型で行うため、設備構成を簡素化できると共に、成形サイクルを短縮化できてコストダウンを図ることができる。
【図面の簡単な説明】
【００１１】
【図１】本発明に係る車両用ドアミラーの反射鏡ユニットの一実施形態を示す断面図。
【図２】本発明に係る反射鏡ユニットの成形方法を（Ａ）〜（Ｃ）にて工程順に示す説明図。
【発明を実施するための形態】
【００１２】
以下、本発明の一実施形態を図面と共に詳述する。
【００１３】
図１に示す実施形態の反射鏡ユニット１は、適宜の合成樹脂材からなる鏡体２と、該鏡体２を図外の作動ユニットに組付けるための合成樹脂製のホルダー３と、を備えている。
【００１４】
鏡体２は、透明な素地板材２ａの裏面に、例えばアルミ蒸着によって反射膜２ｂを形成してある。
【００１５】
ホルダー３は、鏡体２の素地板材２ａと同質材、または素地板材２ａと相溶性のある合成樹脂材からなる。このホルダー３は、鏡体２の裏面と周面とを内包して、該鏡体２に対して積層状に一体成形してある。
【００１６】
反射鏡ユニット１の反射面側（表面側）は、鏡体２の周縁を見切り線（パーティングライン）として、該鏡体２とホルダー３の周縁部３ａとを面一に整合して形成してある。
【００１７】
反射鏡ユニット１の少なくとも鏡体２は所要の曲率の凸面形状に形成して、反射像を拡大できるようにしている。また、この反射鏡ユニット１の反射面側の周縁部分は、鏡体２の一般部の凸面の曲率半径よりも小さな曲率半径の弯曲面１ａとして形成して、有効視界範囲を極力拡大できるようにしている。
【００１８】
図２は、反射鏡ユニット１の成形方法を（Ａ）〜（Ｃ）の工程順に示している。
【００１９】
本実施形態では、鏡体２の射出成形と、ホルダー３の射出成形とを、１つの金型１０によって多段階に行って反射鏡ユニット１を一体成形するようにしている。
【００２０】
金型１０は、鏡体２の素地板材２ａを成形するためのキャビティ１１ａを形成した下型１１と、鏡体２の素地板材２ａの裏面側を成形するためのコア１２ａを形成した第１加工部１２Ａ，蒸着機１３を備えて素地板材２ａの裏面に反射膜２ｂを蒸着するためのキャビティ１２ｂを形成した第２加工部１２Ｂ，鏡体２の裏面側にホルダー３を成形するためのキャビティ１２ｃを形成した第３加工部１２Ｃの３つの加工部を有する上型１２と、を備えている。
【００２１】
下型１１と上型１２とは、第１〜第３加工部１２Ａ，１２Ｂ，１２Ｃの位置で、キャビティ１１ａと、コアおよびキャビティ１２ａ，１２ｂ，１２ｃとがそれぞれ整合する位置に相対的に水平方向に移動して、型締め可能としている。
【００２２】
図２（Ａ）の第１工程では、下型１１のキャビティ１１ａと上型１２の第１加工部１２Ａのコア１２ａとを整合，型締めして、鏡体２の素地板材２ａを射出成形する。
【００２３】
図２（Ｂ）の第２工程では、下型１１のキャビティ１１ａと上型１２の第２加工部１２Ｂのキャビティ１２ｂとを整合，型締めして、上述の素地板材２ａの裏面にアルミ蒸着を施して反射膜２ｂを形成する。
【００２４】
図２（Ｃ）の第３工程では、下型１１のキャビティ１１ａと上型１２の第３加工部１２Ｃのキャビティ１２ｃとを整合，型締めして、上述の鏡体２の裏面から周面に亘ってホルダー３を積層状に射出成形する。
【００２５】
以上のように本実施形態の車両用ドアミラーによれば、反射鏡ユニット１を合成樹脂製の鏡体２とホルダー３とを積層状に一体成形して構成するため、これら鏡体２とホルダー３との溶着工数が不要となってコスト的に有利に得ることができる。
【００２６】
また、鏡体２の反射面側（表面側）でのホルダー３による脱落止めのための周縁保持が不要となるので、反射鏡ユニット１の有効視界範囲を拡大することができる。
【００２７】
特に、本実施形態では、鏡体２の周縁を見切り線として、該鏡体２とホルダー３の周縁部３ａとを面一に整合して形成することに加えて、反射鏡ユニット１の反射面側の周縁部分を、弯曲面１ａとして形成している。これにより、反射鏡ユニット１の有効視界範囲を、より一層拡大して、後写視認性を向上することができる。
【００２８】
また、上述のように鏡体２とホルダー３とは、反射膜２ｂを内包して積層状に一体成形しているので、反射膜２ｂが空気に触れることによる劣化，発錆等を防止できて、視認性が経時低下するのを回避することができる。
【００２９】
そして、上述の反射鏡は、鏡体２の射出成形と、その裏面への反射膜２ｂの蒸着と、鏡体２に対するホルダー３の一体成形とを、下型１１と、３つの加工部１２Ａ，１２Ｂ，１２Ｃを有する上型１２と、からなる１つの金型１０によって段階的に成形加工するようにしている。このため、設備構成を簡素化できると共に、成形サイクルを短縮化できてコストダウンを図ることができる。
【符号の説明】
【００３０】
１…反射鏡ユニット
１ａ…周縁部の弯曲面
２…鏡体
２ａ…素地板材
２ｂ…反射膜
３…ホルダー
１０…金型
１１…下型
１２…上型
１２Ａ…第１加工部
１２Ｂ…第２加工部
１２Ｃ…第３加工部
【図１】
2012201201.tif 000003
【図２】
2012201201.tif 000004